(57)【要約】  ユーザ端末ＵＥの処理を複雑化させることなく、隣接セルのＣＱＩ測定を行うこと。サービングセルに設置された基地局装置（ｅＮｏｄｅＢ＃１）において、隣接セルに設置された基地局装置（ｅＮｏｄｅＢ＃２）から、当該隣接セルのＣＳＩ−ＲＳに関するパラメータとして隣接セルのセルＩＤ、ＣＳＩ−ＲＳの位置及び送信電力を取得し、上記ＣＳＩ−ＲＳに関するパラメータを含む報知信号を生成してユーザ端末（ＵＥ）に送信することを特徴とする。
2011126025.tif 000002
【特許請求の範囲】
【請求項１】
隣接セルのＣＳＩ（Channel  State  Information）−ＲＳに関するパラメータとして前記隣接セルのセルＩＤ、ＣＳＩ−ＲＳの位置及び送信電力を取得する取得手段と、前記パラメータを含む信号を生成する生成手段と、前記生成した信号を下りリンクで送信する送信手段とを具備することを特徴とする基地局装置。
【請求項２】
前記生成手段は、前記パラメータとして、前記隣接セルのＣＳＩ−ＲＳがマッピングされるリソースエレメントに対応するリソースエレメントをヌルとするミューティングのオン／オフ又は周期を含む信号を生成することを特徴とする請求項１記載の基地局装置。
【請求項３】
前記生成手段は、前記パラメータとして、前記ミューティングによりヌルとされるリソースエレメントの送信電力だけ増幅したＣＳＩ−ＲＳに対する送信電力のオフセット量を含む信号を生成することを特徴とする請求項２記載の基地局装置。
【請求項４】
サービングセルから隣接セルのＣＳＩ−ＲＳに関するパラメータとして前記隣接セルのセルＩＤ、ＣＳＩ−ＲＳの位置及び送信電力を含む信号を受信する受信手段と、前記受信した信号に含まれる前記隣接セルのセルＩＤ又はＣＳＩ−ＲＳの位置及び送信電力に基づいてＣＳＩ−ＲＳを特定して前記隣接セルの伝播路状態を測定する測定手段とを具備することを特徴とする移動局装置。
【請求項５】
前記測定手段は、前記セルＩＤに関連付けられたＣＳＩ−ＲＳの系列と、前記受信した信号に含まれる前記ＣＳＩ−ＲＳの位置及び送信電力とからＣＳＩ−ＲＳを特定して前記隣接セルの伝搬路状態を測定することを特徴とする請求項４記載の移動局装置。
【請求項６】
前記測定手段は、前記セルＩＤに関連付けられたＣＳＩ−ＲＳの系列及び位置と、前記受信した信号に含まれるＣＳＩ−ＲＳの位置及び送信電力とからＣＳＩ−ＲＳを特定して前記隣接セルのＣＱＩを測定することを特徴とする請求項４記載の移動局装置。
【請求項７】
前記受信手段は、前記パラメータとして、前記サービングセル及び隣接セルにて相手側セルのＣＳＩ−ＲＳがマッピングされるリソースエレメントに対応するリソースエレメントをヌルとするミューティングのオン／オフ又は周期を含む信号を受信し、前記測定手段は、前記ミューティングによりヌルとされるリソースエレメントの干渉成分を推定して前記サービングセル及び隣接セルの信号対雑音電力値を測定することを特徴とする請求項４記載の移動局装置。
【請求項８】
前記受信手段は、前記パラメータとして、前記ミューティングによりヌルとされるリソースエレメントの送信電力だけ増幅したＣＳＩ−ＲＳに対する送信電力のオフセット量を含む信号を受信し、前記測定手段は、前記送信電力のオフセット量を反映した送信電力のＣＳＩ−ＲＳに基づいて前記サービングセル及び隣接セルのＣＱＩを測定することを特徴とする請求項７記載の移動局装置。
【請求項９】
サービングセルに設置された基地局装置において、隣接セルのＣＳＩ−ＲＳに関するパラメータとして前記隣接セルのセルＩＤ、ＣＳＩ−ＲＳの位置及び送信電力を取得するステップと、前記パラメータを含む信号を生成するステップと、前記生成した信号を下りリンクで送信するステップとを具備することを特徴とする参照信号送信方法。
【発明の詳細な説明】
【技術分野】
【０００１】
本発明は、基地局装置、移動局装置及び参照信号送信方法に関し、特に、次世代移動通信システムにおける基地局装置、移動局装置及び参照信号送信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。【０００４】
ＬＴＥ方式のシステム（ＬＴＥシステム）の下りリンクにおいて、セル共通の参照信号であるＣＲＳ（Common  Reference  Signal）が定められている。このＣＲＳは、データチャネル信号の復調に用いられる他、スケジューリングや適応制御のための下りのチャネル品質（ＣＱＩ：Channel  Quality  Indicator）測定、並びに、セルサーチやハンドオーバのための下りの平均的な伝搬路状態の推定（モビリティ測定）に用いられる。【０００５】
一方、ＬＴＥアドバンストのシステム（ＬＴＥ−Ａシステム）の下りリンクにおいては、このようなＣＲＳに加えて、ＣＱＩ測定に専用に用いられるＣＳＩ−ＲＳ（Channel  State  Information  -  Reference  Signal）を定めることが検討されている。このＣＳＩ−ＲＳにおいては、多地点協調（ＣｏＭＰ：Coordinated  Multiple  Point）によるデータチャネル信号の送受信を考慮して、複数セルのＣＱＩ測定に対応するものである。ＣＳＩ−ＲＳにおいては、隣接セルのＣＱＩ測定に用いられる点で、サービングセルのみのＣＱＩ測定に用いられるＣＲＳと相違する。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ＣＳＩ−ＲＳを用いて複数セルのＣＱＩ測定を行う場合、ユーザ端末ＵＥにおいては、その送信電力などのパラメータを認識するために、サービングセルのみだけでなく隣接セルからも報知信号を受信する必要がある。しかしながら、隣接セルからの報知信号を受信する場合には、サービングセルからの信号受信を中断する必要が生じるなど、ユーザ端末ＵＥにおける処理が複雑化するという問題がある。【０００８】
本発明は、このような実情に鑑みてなされたものであり、ユーザ端末ＵＥの処理を複雑化させることなく、隣接セルのＣＱＩ測定が可能となる基地局装置、移動局装置及び参照信号送信方法を提供することを目的とする。
【課題を解決するための手段】
【０００９】
本発明の基地局装置は、隣接セルのＣＳＩ（Channel  State  Information）−ＲＳに関するパラメータとして前記隣接セルのセルＩＤ、ＣＳＩ−ＲＳの位置及び送信電力を取得する取得手段と、前記パラメータを含む信号を生成する生成手段と、前記生成した信号を下りリンクで送信する送信手段とを具備することを特徴とする。【００１０】
この構成によれば、隣接セルのセルＩＤ、ＣＳＩ−ＲＳの位置及び送信電力を含む信号がユーザ端末に送信されることから、ユーザ端末において隣接セルからの報知信号を受信することなくＣＳＩ−ＲＳを特定することができるので、サービングセルからの信号受信の中断などの複雑な処理を必要とすることなく、ユーザ端末に隣接セルのＣＱＩ測定を行わせることが可能となる。【００１１】
本発明の移動局装置は、サービングセルから隣接セルのＣＳＩ−ＲＳに関するパラメータとして前記隣接セルのセルＩＤ、ＣＳＩ−ＲＳの位置及び送信電力を含む信号を受信する受信手段と、前記受信した信号に含まれる前記隣接セルのセルＩＤ、ＣＳＩ−ＲＳの位置及び送信電力に基づいてＣＳＩ−ＲＳを特定して前記隣接セルの伝播路状態を測定する測定手段とを具備することを特徴とする。【００１２】
この構成によれば、サービングセルから隣接セルのセルＩＤ、ＣＳＩ−ＲＳの位置及び送信電力を含む信号を受信し、これらの隣接セルのセルＩＤ、ＣＳＩ−ＲＳの位置及び送信電力に基づいてＣＳＩ−ＲＳを特定して隣接セルのＣＱＩを測定することから、隣接セルからの報知信号を受信することなくＣＳＩ−ＲＳを特定することができるので、サービングセルからの信号受信を中断するなどの複雑な処理を必要とすることなく隣接セルのＣＱＩを測定することが可能となる。【００１３】
本発明の参照信号送信方法は、サービングセルに設置された基地局装置において、隣接セルのＣＳＩ−ＲＳに関するパラメータとして前記隣接セルのセルＩＤ、ＣＳＩ−ＲＳの位置及び送信電力を取得するステップと、前記パラメータを含む信号を生成するステップと、前記生成した信号を下りリンクで送信するステップとを具備することを特徴とする。【００１４】
この方法によれば、サービングセルから隣接セルのセルＩＤ、ＣＳＩ−ＲＳの位置及び送信電力を含む信号がユーザ端末に送信されることから、ユーザ端末において隣接セルからの報知信号を受信することなくＣＳＩ−ＲＳを特定することができるので、サービングセルからの信号受信の中断などの複雑な処理を必要とすることなく、ユーザ端末において隣接セルのＣＱＩ測定を行うことが可能となる。
【発明の効果】
【００１５】
本発明によれば、サービングセルから隣接セルのセルＩＤ、ＣＳＩ−ＲＳの位置及び送信電力を含む信号がユーザ端末に送信されることから、ユーザ端末において隣接セルからの報知信号を受信することなくＣＳＩ−ＲＳを特定することができるので、サービングセルからの信号受信の中断などの複雑な処理を必要とすることなく、ユーザ端末において隣接セルのＣＱＩ測定を行うことが可能となる。
【図面の簡単な説明】
【００１６】
【図１】ＬＴＥシステムで定められるＣＲＳの構成について説明するための図である。
【図２】ＬＴＥシステムでユーザ端末からサービングセル及び隣接セルの基地局装置に対してフィードバックされる情報を説明するための図である。
【図３】ＣＳＩ−ＲＳの構成について説明するための図である。
【図４】ＬＴＥ−Ａシステムでユーザ端末からサービングセル及び隣接セルの基地局装置に対してフィードバックされる情報を説明するための図である。
【図５】本発明の第１の態様に係る参照信号送信方法が適用される移動通信システムにおいて、基地局装置とユーザ端末とで通信される情報を説明するための図である。
【図６】ＣＳＩ−ＲＳを用いたチャネル品質測定におけるミューティングを説明するための図である。
【図７】本発明の第３の態様に係る参照信号送信方法が適用されるＣＳＩ−ＲＳの構成を示す図である。
【図８】本発明に係る参照信号送信方法が適用される基地局装置の構成を示すブロック図である。
【図９】本発明に係る参照信号送信方法により送信されるＣＳＩ−ＲＳを受信する移動局装置の構成を示すブロック図である。
【発明を実施するための形態】
【００１７】
まず、本発明に係る参照信号送信方法について説明する前に、ＬＴＥシステムの下りリンクで定められるＣＲＳ（Common  Reference  Signal）及びＬＴＥ−Ａシステムの下りリンクで定めることが検討されているＣＳＩ−ＲＳ（Channel  State  Information  -  Reference  Signal）について説明する。
【００１８】
図１は、ＣＲＳの構成について説明するための図である。図１においては、基地局装置ｅＮｏｄｅＢが４つの送信アンテナを備える場合のＣＲＳの構成を示し、図１Ａ、図１Ｂにおいては、それぞれ互いに隣接するセル１、セル２の１リソースブロック（ＲＢ）におけるＣＲＳの構成を示している。なお、図１においては、縦軸に周波数を示し、横軸に時間を示している。なお、ＣＲＳは、全てのリソースブロック及び全てのサブフレームに割り当てられている。
【００１９】
ＣＲＳは、セル共通の参照信号としてユーザ端末ＵＥに既知の周波数・時間から既知の送信電力と位相でユーザ端末ＵＥに送信される。これらのＣＲＳの周波数や送信電力は、後述するセルＩＤや報知信号により、ユーザ端末ＵＥで認識される。ＣＲＳは、概して、ユーザ端末ＵＥにおけるデータチャネル信号の復調、並びに、下りリンクのチャネル測定に用いられる。
【００２０】
ＣＲＳのシンボル数及び位置は、チャネル推定精度とオーバーヘッドとの観点から決定される。送信アンテナ数が４つの場合、図１に示すように、１、２番目の送信アンテナに対するＣＲＳは、送信アンテナ毎に６サブキャリアおきに、各時間スロット内の第１、第５ＯＦＤＭシンボルにマッピングされ、３、４番目の送信アンテナに対するＣＲＳは、時間スロット内の第２ＯＦＤＭシンボルのみに、それぞれ１、２番目の送信アンテナと同一のサブキャリアにマッピングされる。また、図１Ａ、Ｂに示すように、セル間のＣＲＳが互いに干渉し合わないように、ＣＲＳは、セル毎にサブキャリアの位置をずらして多重されている。
【００２１】
このＣＲＳは、位置、系列及び送信電力というパラメータで特定される。これらのパラメータのうち、ＣＲＳの位置は、セルＩＤに関連付けられている。すなわち、セルＩＤによりＣＲＳを周波数方向にシフトする位置が決められており、ユーザ端末ＵＥにおいては、セルＩＤを認識することによってＣＲＳの位置を特定できるものとなっている。また、ＣＲＳの系列は、セルＩＤに関連付けられている。すなわち、セルＩＤにより使用するＣＲＳの変調方式が決められており、ユーザ端末ＵＥにおいては、セルＩＤを認識することによってＣＲＳの系列を特定できるものとなっている。さらに、ＣＲＳの送信電力は、各セルで通知される報知信号に応じて特定される。すなわち、報知信号にはＣＲＳの送信電力が指定されており、ユーザ端末ＵＥにおいては、報知信号内の情報を認識することによってＣＲＳの送信電力を特定できるものとなっている。
【００２２】
ＣＲＳの位置及び系列を特定するために参照されるセルＩＤは、ユーザ端末ＵＥがセルサーチを行うことで認識される。このため、ユーザ端末ＵＥにおいては、各セルにおいて、セルサーチにより取得したセルＩＤによりＣＲＳの位置及び系列を特定できるものとなっている。すなわち、ユーザ端末ＵＥにおいては、ＣＲＳの送信電力以外のパラメータについては、制御信号（報知信号）を受信しなくても、特定することができる。
【００２３】
ここで、ユーザ端末ＵＥにおけるＣＲＳを用いたチャネル測定の内容について図２を参照しながら説明する。図２は、ＬＴＥシステムでユーザ端末ＵＥからサービングセル及び隣接セルの基地局装置ｅＮｏｄｅＢに対してフィードバックされる情報を説明するための図である。ＣＲＳを用いたチャネル測定には、セルサーチやハンドオーバのための下りリンクの平均的な伝搬路状態の推定（モビリティ測定）と、スケジューリングや適応制御のための下りリンクのチャネル品質（ＣＱＩ：Channel  Quality  Indicator）測定とが含まれる。
【００２４】
モビリティ測定は、現在、実際にユーザ端末ＵＥが接続しているサービングセル、並びに、このサービングセルに隣接する隣接セルに対して行われる。モビリティ測定において、ＣＲＳの受信電力のみが測定される場合、測定対象とされるセル（サービングセル及び隣接セル）のＣＲＳの位置及び系列が特定できれば、制御信号（報知信号）を必要とすることなく測定することができる。このモビリティ測定においては、ＣＲＳ受信信号電力（ＲＳＲＰ：Reference  Signal  Received  Power）やＣＲＳ受信信号品質（ＲＳＲＱ：Reference  Signal  Received  Quality）が測定される。ユーザ端末ＵＥで測定されたＲＳＲＰ等は、図２に示すように、サービングセルに設置された基地局装置ｅＮｏｄｅＢ＃１、隣接セルに設置された基地局装置ｅＮｏｄｅＢ＃２、＃３にフィードバックされる。基地局装置ｅＮｏｄｅＢ＃１〜＃３においては、フィードバックされたＲＳＲＰ等を、ユーザ端末ＵＥをハンドオーバさせる際の判断等に用いる。
【００２５】
ＣＱＩ測定は、データチャネル信号の送信元であるサービングセルのみに対して行われる。ＣＱＩ測定においては、測定対象とされるセル（サービングセル）のＣＲＳの位置、系列及び送信電力が特定できれば測定することができる。このＣＱＩ測定においては、ＣＱＩ、ＲＩ（Rank  Indicator）、ＰＭＩ（Precoding  Matrix  Indicator）が決定される。ユーザ端末ＵＥで測定されたＣＱＩ等は、図２に示すように、サービングセルに設置された基地局装置ｅＮｏｄｅＢ＃１にフィードバックされる。基地局装置ｅＮｏｄｅＢ＃１においては、フィードバックされたＣＱＩ等を、ユーザ端末ＵＥにデータチャネル信号を送信する際のパラメータ（例えば、ＭＣＳ：Modulation  and  Coding  Scheme）の判断に用いる。
【００２６】
これらから分かるように、ＬＴＥシステムのＣＲＳにおいて、ユーザ端末ＵＥが隣接セルのチャネル測定を行う場合には、そのセルＩＤのみ特定できれば良い。セルＩＤは、セルサーチにより特定することができるので、隣接セルにおけるチャネル測定においては、シグナリング（報知信号）は必要ない。つまり、ＬＴＥシステムのＣＲＳにおいて、ユーザ端末ＵＥに対して必要となるシグナリングは、サービングセルにおけるＣＲＳの送信電力に限定されている。
【００２７】
次に、ＬＴＥ−Ａシステムの下りリンクで定めることが検討されているＣＳＩ−ＲＳの構成について説明する。図３は、ＣＳＩ−ＲＳの構成について説明するための図である。図３Ａにおいては、ＣＳＩ−ＲＳが割り当てられるサブフレームの構成について説明するための図である。図３Ｂは、基地局装置ｅＮｏｄｅＢが４つの送信アンテナを備える場合の１リソースブロック（ＲＢ）におけるＣＳＩ−ＲＳの構成を示している。なお、図３Ｂにおいては、説明の便宜上、隣接するセル１、セル２に対するＣＳＩ−ＲＳを同一のリソースブロックに示している。また、図３Ｂにおいては、説明の便宜上、図１に示すＣＲＳを示している。
【００２８】
ＣＳＩ−ＲＳは、ＣＲＳとは異なり、全てのリソースブロック及び全てのサブフレームに割り当てられず、図３Ａに示すように、一定の周期でサブフレームに割り当てられる。また、サブフレームオフセットにより所定数のサブフレームだけ他のセルとずらして割り当てることができる。図３Ａにおいては、セル１、セル２において、１０サブフレーム周期でＣＳＩ−ＲＳが割り当てられる場合について示し、セル３において、セル１、セル２のＣＳＩ−ＲＳから２サブフレームだけオフセットして割り当てられた場合について示している。
【００２９】
ＣＳＩ−ＲＳは、ＣＲＳと同様に、位置、系列及び送信電力というパラメータで特定される。これらのパラメータのうち、ＣＳＩ−ＲＳの位置は、例えば、各セルで通知される報知信号（ＳＩＢ２）に応じて特定される。すなわち、報知信号にはＣＳＩ−ＲＳのサブフレームオフセット量、周期及びサブキャリア−シンボルオフセット量が指定されており、ユーザ端末ＵＥにおいては、報知信号内の情報を認識することによってＣＳＩ−ＲＳの位置を特定できるものとなっている。また、ＣＳＩ−ＲＳの系列は、セルＩＤに関連付けられている。すなわち、セルＩＤにより使用するＣＳＩ−ＲＳの変調方式が決められており、ユーザ端末ＵＥにおいては、セルＩＤを認識することによってＣＳＩ−ＲＳの系列を特定できるものとなっている。さらに、ＣＳＩ−ＲＳの送信電力は、各セルで通知される報知信号（ＳＩＢ２）に応じて特定される。すなわち、報知信号にはＣＳＩ−ＲＳの送信電力が指定されており、ユーザ端末ＵＥにおいては、報知信号内の情報を認識することによってＣＳＩ−ＲＳの送信電力を特定できるものとなっている。なお、ＣＳＩ−ＲＳに関するパラメータは、ユーザ端末ＵＥ個別の制御信号を用いて通知することも可能である。
【００３０】
図３Ｂにおいては、セル１に対応するＣＳＩ−ＲＳが、サブキャリア−シンボルオフセットされ、第６ＯＦＤＭシンボルにマッピングされた場合について示している。より具体的には、２サブキャリア及び５ＯＦＤＭシンボルだけサブキャリアオフセットされ、１番目、３番目の送信アンテナに対するＣＳＩ−ＲＳが、ＣＲＳの２番目の送信アンテナと同一のサブキャリアにマッピンングされ、２番目、４番目の送信アンテナに対するＣＳＩ−ＲＳが、これらの１番目、３番目の送信アンテナのＣＳＩ−ＲＳに隣接するサブキャリアにマッピングされている。また、図３Ｂにおいては、セル２に対応するＣＳＩ−ＲＳが、サブキャリア−シンボルオフセットされておらず、第１１ＯＦＤＭシンボルにマッピングされた場合について示している。
【００３１】
ここで、ユーザ端末ＵＥにおけるＣＳＩ−ＲＳを用いたチャネル測定の内容について図４を参照しながら説明する。図４は、ＬＴＥ−Ａシステムでユーザ端末ＵＥからサービングセル及び隣接セルの基地局装置ｅＮｏｄｅＢに対してフィードバックされる情報を説明するための図である。ＣＳＩ−ＲＳを用いたチャネル測定には、スケジューリングや適応制御のための下りリンクのＣＱＩ測定が含まれる。ＣＳＩ−ＲＳを用いたＣＱＩ測定は、ＣＲＳを用いたＣＱＩ測定とは異なり、サービングセルだけでなく隣接セルに対しても行われる。このように複数のセルのチャネル品質を測定するのは、多地点協調（ＣｏＭＰ：Coordinated  Multiple  Point）によるデータチャネル信号の送受信を考慮するためである。
【００３２】
それぞれのセルにおけるＣＱＩ測定においては、ＣＲＳを用いたＣＱＩ測定と同様に、ＣＱＩが測定され、この測定されたＣＱＩに基づいてＲＩ、ＰＭＩが決定される。ユーザ端末ＵＥで測定されたＣＱＩ等は、図４に示すように、サービングセルに設置された基地局装置ｅＮｏｄｅＢ＃１、隣接セルに設置された基地局装置ｅＮｏｄｅＢ＃２にフィードバックされる。基地局装置ｅＮｏｄｅＢ＃１、＃２においては、フィードバックされたＣＱＩ等を、ユーザ端末ＵＥにデータチャネル信号を送信する際のパラメータ（例えば、ＭＣＳ）の判断に用いる。
【００３３】
隣接セルを含む複数セルのＣＱＩ測定を行う場合において、セルＩＤに関連付けられていないパラメータ、すなわち、ＣＳＩ−ＲＳの位置や送信電力は、それぞれのセルから報知信号にてユーザ端末ＵＥに通知される。このため、ユーザ端末ＵＥにおいては、報知信号を受信し、その報知信号内の情報を認識することによって、これらのパラメータを特定する必要がある。しかしながら、ユーザ端末ＵＥにおいて、隣接セルの報知信号を受信する場合には、サービングセルからの信号受信を中断する必要が生じるなど、ユーザ端末ＵＥにおける処理が複雑化する。本発明者らは、ＣＳＩ−ＲＳを用いたＣＱＩ測定においては、複数セルから報知信号を受信することに起因して、ユーザ端末ＵＥの処理が複雑化する点に着目し、本発明をするに至ったものである。
【００３４】
本発明の第１の態様に係る参照信号送信方法においては、セル間でＣＳＩ−ＲＳに関するパラメータ（以下、「ＣＳＩ−ＲＳパラメータ」という）を交信し、隣接セルのＣＳＩ−ＲＳパラメータをサービングセルからユーザ端末ＵＥに送信するものである。より具体的には、セル間でセルＩＤに関連付けられていないＣＳＩ−ＲＳパラメータを交信し、隣接セルのこれらのＣＳＩ−ＲＳパラメータを含む報知信号を生成し、その報知信号をサービングセルからユーザ端末ＵＥに送信する。なお、ＣＳＩ−ＲＳパラメータの送信については、報知信号を用いてもよいし、ユーザ端末ＵＥ個別の信号を用いてもよい。
【００３５】
図５は、本発明の第１の態様に係る参照信号送信方法が適用される移動通信システムにおいて、基地局装置ｅＮｏｄｅＢとユーザ端末ＵＥとの間で通信される情報を説明するための図である。図５に示す移動通信システムにおいて、サービングセルに設置された基地局装置ｅＮｏｄｅＢ＃１は、隣接セルに設置された基地局装置ｅＮｏｄｅＢ＃２、＃３とＣＳＩ−ＲＳパラメータを送受信可能に接続されている。これらの基地局装置ｅＮｏｄｅＢ＃１と、基地局装置ｅＮｏｄｅＢ＃２、＃３との接続形態は、特に限定されるものではなく、有線接続又は無線接続のいずれであっても良い。なお、図５においては、基地局装置ｅＮｏｄｅＢ＃１と基地局装置ｅＮｏｄｅＢ＃２との間でＣＳＩ−ＲＳパラメータを交信する場合について示している。
【００３６】
図５に示す移動通信システムにおいて、基地局装置ｅＮｏｄｅＢ＃２のセルＩＤに関連付けられていないＣＳＩ−ＲＳパラメータは、基地局装置ｅＮｏｄｅＢ＃１に送信される。基地局装置ｅＮｏｄｅＢ＃１は、基地局装置ｅＮｏｄｅＢ＃２から受信したＣＳＩ−ＲＳパラメータと、自装置のセルＩＤに関連付けられていないＣＳＩ−ＲＳパラメータとを含む報知信号を生成し、ユーザ端末ＵＥに送信する。この報知信号には、サービングセルのＣＳＩ−ＲＳパラメータとして、ＣＳＩ−ＲＳの位置（サブフレームオフセット量、サブキャリア−シンボルオフセット量、周期）及び送信電力が含まれる。また、この報知信号には、隣接セルのＣＳＩパラメータとして、当該隣接セルを識別するためのセルＩＤ（隣接セルＩＤ）と、ＣＳＩ−ＲＳの位置（サブフレームオフセット量、サブキャリア−シンボルオフセット量、周期）及び送信電力とが含まれる。
【００３７】
ユーザ端末ＵＥにおいては、サービングセルからの報知信号で指定されたセルＩＤから隣接セルのＣＳＩ−ＲＳの系列を特定できると共に、この報知信号で指定された隣接セルのＣＳＩ−ＲＳの位置（サブフレームオフセット量、サブキャリア−シンボルオフセット量、周期）及び送信電力を特定することができるので、これらからＣＳＩ−ＲＳを特定することができる。これにより、ユーザ端末ＵＥにおいては、隣接セルからの報知信号を受信することなく、ＣＱＩ測定を行うことができる。ユーザ端末ＵＥで測定されたＣＱＩ等は、図５に示すように、隣接セルＩＤで特定される基地局装置ｅＮｏｄｅＢ＃２にフィードバックされる。
【００３８】
なお、サービングセルのＣＳＩ−ＲＳに関しては、セルサーチにより取得されるセルＩＤに関連付けられたＣＳＩ−ＲＳの系列と、報知信号で指定されたＣＳＩ−ＲＳの位置（サブフレームオフセット量、サブキャリア−シンボルオフセット量、周期）及び送信電力とから特定される。ユーザ端末ＵＥで測定されたＣＱＩ等は、図５に示すように、基地局装置ｅＮｏｄｅＢ＃１にフィードバックされる。
【００３９】
このように本発明の第１の態様に係る参照信号送信方法においては、サービングセルから隣接セルのＣＳＩ−ＲＳパラメータを含む報知信号をユーザ端末ＵＥに送信するようにしていることから、この報知信号で指定されたセルＩＤからＣＳＩ−ＲＳの系列を特定できると共に、この報知信号で指定された隣接セルのＣＳＩ−ＲＳの位置（サブフレームオフセット量、サブキャリア−シンボルオフセット量、周期）及び送信電力を特定することができるので、これらからＣＳＩ−ＲＳを特定でき、ユーザ端末ＵＥにおいては、隣接セルからの報知信号を受信することなく、ＣＱＩ測定を行うことが可能となる。この結果、ユーザ端末ＵＥの処理を複雑化させることなく、隣接セルのＣＱＩ測定を行うことが可能となる。
【００４０】
ところで、ＣＳＩ−ＲＳを用いたＣＱＩ測定においては、隣接セルのＣＱＩ測定精度の改善を目的として、隣接セルのＣＳＩ−ＲＳがマッピングされるリソースエレメント（ＲＥ）（以下、「ＣＳＩ−ＲＳリソースエレメント」という）に対応するリソースエレメントにデータチャネル信号を割り当てず、当該リソースエレメントをヌルとするミューティングが検討されている。以下、ＣＳＩ−ＲＳを用いたＣＱＩ測定におけるミューティングについて図６を参照して説明する。図６は、ＣＳＩ−ＲＳを用いたチャネル品質測定におけるミューティングを説明するための図である。図６Ａにおいては、ミューティングが行われていない状態の隣接するセル１、２のＣＳＩ−ＲＳの構成を示し、図６Ｂにおいては、ミューティングが行われた状態の隣接するセル１、２のＣＳＩ−ＲＳの構成を示している。なお、図６においては、図３Ｂと同様にＣＳＩ−ＲＳがマッピングされる場合について示している。
【００４１】
図６Ａに示すように、ミューティングが行われていない状態においては、セル２のＣＳＩ−ＲＳリソースエレメントに対応するセル１のリソースエレメントには、データチャネル信号が割り当てられる。同様に、セル１のＣＳＩ−ＲＳリソースエレメントに対応するセル２のリソースエレメントには、データチャネル信号が割り当てられる。これらのデータデータチャネル信号は、それぞれＣＳＩ−ＲＳの干渉成分を構成し、ユーザ端末ＵＥにおけるチャネル品質の推定精度を劣化させる要因となる。
【００４２】
ミューティングにおいては、このようなデータチャネル信号の割り当てに起因するチャネル品質の推定精度の劣化を防止するために、隣接セルのＣＳＩ−ＲＳリソースエレメントに対応するリソースエレメントにデータチャネル信号を割り当てず、当該リソースエレメントをヌルとする。図６Ｂに示すように、ミューティングが行われた状態において、セル２のＣＳＩ−ＲＳリソースエレメントに対応するセル１のリソースエレメントにデータチャネル信号を割り当てず、当該リソースエレメントをヌルとする。同様に、セル１のＣＳＩ−ＲＳリソースエレメントに対応するセル２のリソースエレメントにデータチャネル信号を割り当てず、当該リソースエレメントをヌルとする。このように隣接セルのＣＳＩ−ＲＳリソースエレメントに対応するリソースエレメントをヌルとすることで、隣接セルのデータチャネル信号をＣＳＩ−ＲＳの干渉成分から排除でき、ユーザ端末ＵＥにおけるチャネル品質の推定精度を改善することができる。
【００４３】
しかしながら、このようにミューティングを行う場合においては、隣接セルからの干渉が完全になくなってしまうことから、ユーザ端末ＵＥにおけるＣＱＩ測定において、ＣＱＩが実際のＣＱＩよりも大きく推定されてしまう。このような事態に対応するため、本発明の第２の態様に係る参照信号送信方法においては、報知信号でユーザ端末ＵＥに通知されるＣＳＩ−ＲＳパラメータにミューティングのオン／オフ又は周期を含める。このようにミューティングのオン／オフ等を含める場合においては、ユーザ端末ＵＥでミューティングの有無を認識できることから、ミューティングが行われたリソースエレメントの干渉成分を考慮してＣＱＩを推定することにより、実際のＣＱＩに対応したＣＱＩを推定することが可能となる。
【００４４】
上述したように、ユーザ端末ＵＥにおいては、報知信号で指定されるＣＳＩ−ＲＳパラメータから、セル１、２のＣＳＩ−ＲＳの位置及び送信電力を特定できることから、ミューティングでヌルとされる他セルのリソースエレメントの信号電力を特定することができる。このため、ＣＱＩ測定の際にそのリソースエレメントの送信電力をＣＱＩの演算に用いることにより、実際のＣＱＩに則したＣＱＩを推定することができる。
【００４５】
この場合、ユーザ端末ＵＥにおいては、（式１）によりセル１におけるＣＱＩｃｅｌｌ１を算出する。ここで、「Ｓｃｅｌｌ１」は、セル１のＣＳＩ−ＲＳの送信電力を示し、「Ｓｃｅｌｌ２」は、ミューティングでヌルとされるセル２のリソースエレメントの信号電力を示している。また、「Ｎ」は、ノイズを示している。すなわち、ユーザ端末ＵＥにおいては、ＣＱＩｃｅｌｌ１の演算式の分母にミューティングでヌルとされるセル２のリソースエレメントの信号電力を入れている。これにより、実際のＣＱＩに則したＣＱＩｃｅｌｌ１を推定することができる。同様に、ユーザ端末ＵＥにおいては、（式２）によりセル２におけるＣＱＩｃｅｌｌ２を算出する。すなわち、ユーザ端末ＵＥにおいては、ＣＱＩｃｅｌｌ２の演算式の分母にミューティングでヌルとされるセル１のリソースエレメントの信号電力を入れている。これにより、実際のＣＱＩに則したＣＱＩｃｅｌｌ２を推定することができる。
（式１）
2011126025.tif 000003
（式２）
2011126025.tif 000004
【００４６】
これに対し、ミューティングによりセル１のＣＳＩ−ＲＳリソースエレメントに対応するセル２のリソースエレメントがヌルとされている場合には、ＣＱＩｃｅｌｌ１は、（式３）により算出される。すなわち、該当するリソースエレメントがヌルとされていることから、ＣＱＩの演算式の分母にはノイズＮのみが残る結果、ＣＱＩｃｅｌｌ１が過大に推定されることとなる。同様に、ミューティングによりセル２のＣＳＩ−ＲＳリソースエレメントに対応するセル１のリソースエレメントがヌルとされている場合には、ＣＱＩｃｅｌｌ２は、（式４）により算出され、ＣＱＩｃｅｌｌ２が過大に推定されることとなる。
（式３）
2011126025.tif 000005
（式４）
2011126025.tif 000006
【００４７】
このように本発明の第２の態様に係る参照信号送信方法においては、報知信号に含まれるＣＳＩ−ＲＳパラメータでミューティングのオン／オフ又は周期が通知されることから、ユーザ端末ＵＥにおいて、ミューティングの有無を認識することができる。これにより、ユーザ端末ＵＥにおいて、ミューティングが行われたリソースエレメントの干渉成分を考慮してＣＱＩを推定することにより、実際のＣＱＩに則したＣＱＩを推定することが可能となる。
【００４８】
なお、ミューティングのオン／オフ又は周期は、サービングセルのみで把握することができることから、サービングセルのＣＳＩ−ＲＳパラメータに含めることができる。また、隣接セルとのミューティングに関する情報の交信に応じて、隣接セルのＣＳＩ−ＲＳパラメータに含めるようにしても良い。
【００４９】
上述したミューティングにおいては、ヌルとされるリソースエレメントにおける送信電力が０とされることから、このリソースエレメントを含むＯＦＤＭシンボルにおいては、当該ＯＦＤＭシンボルに割り当てられた全ての電力が使用されていない。このような事態に対応するため、本発明の第３の態様に係る参照信号送信方法においては、隣接セルのＣＳＩ−ＲＳが同一のＯＦＤＭシンボルに多重される場合に、ヌルとされるリソースエレメントの電力をＣＳＩ−ＲＳリソースエレメントに再配分して増幅すると共に、報知信号でユーザ端末ＵＥに通知されるＣＳＩ−ＲＳパラメータに電力のオフセット量（パワーオフセット量）を含める。このようにパワーオフセット量を含める場合においては、ユーザ端末ＵＥで電力が増幅されたＣＳＩ−ＲＳを用いてＣＱＩ測定を行うことができるので、ＣＱＩの推定精度を改善することが可能となる。
【００５０】
図７は、本発明の第３の態様に係る参照信号送信方法が適用されるＣＳＩ−ＲＳの構成を示す図である。図７においては、隣接するセル１、２のＣＳＩ−ＲＳが同一のＯＦＤＭシンボルにマッピングされた場合について示している。また、図７においては、ミューティングにより、セル２のＣＳＩ−ＲＳリソースエレメントに対応するセル１のリソースエレメントがヌルとされ、セル１のＣＳＩ−ＲＳリソースエレメントに対応するセル２のリソースエレメントがヌルとされた場合について示している。
【００５１】
本発明の第３の態様に係る参照信号送信方法においては、セル１でヌルとされているリソースエレメントの送信電力をＣＳＩ−ＲＳリソースエレメントに再配分して増幅すると共に、報知信号でユーザ端末ＵＥに通知されるＣＳＩ−ＲＳパラメータにパワーオフセット量を含める。この報知信号を受信すると、ユーザ端末ＵＥにおいては、ＣＳＩ−ＲＳの増幅分を認識した上で、電力が増幅されたＣＳＩ−ＲＳを用いてＣＱＩ測定を行うことができるので、ＣＱＩの推定精度を改善することが可能となる。同様に、セル２でヌルとされているリソースエレメントの送信電力をＣＳＩ−ＲＳリソースエレメントに再配分して増幅すると共に、報知信号でユーザ端末ＵＥに通知されるＣＳＩ−ＲＳパラメータに含めることから、ユーザ端末ＵＥにおいては、ＣＳＩ−ＲＳの増幅分を認識した上で、送信電力が増幅されたＣＳＩ−ＲＳを用いてＣＱＩ測定を行うことができるので、ＣＱＩの推定精度を改善することが可能となる。
【００５２】
このように本発明の第３の態様に係る参照信号送信方法においては、隣接セルのＣＳＩ−ＲＳが同一のＯＦＤＭシンボルに多重される場合に、ヌルとされるリソースエレメントの送信電力をＣＳＩ−ＲＳリソースエレメントに再配分して増幅すると共に、ヌルとされるリソースエレメントの送信電力だけ増幅したパワーオフセット量を報知信号でユーザ端末ＵＥに通知することから、ユーザ端末ＵＥで電力が増幅されたＣＳＩ−ＲＳを用いてＣＱＩ測定を行うことができるので、ＣＱＩの推定精度を改善することが可能となる。
【００５３】
なお、パワーオフセット量は、サービングセルのみで把握することができることから、サービングセルのＣＳＩ−ＲＳパラメータに含めることができる。また、隣接セルとのミューティングに関する情報の交信に応じて、隣接セルのＣＳＩ−ＲＳパラメータに含めるようにしても良い。
【００５４】
なお、以上の説明においては、各セルで通知される報知信号にＣＳＩ−ＲＳのサブフレームオフセット量及びサブキャリア−シンボルオフセット量が指定される場合について説明している。しかしながら、ＣＳＩ−ＲＳのサブフレームオフセット量及びサブキャリア−シンボルオフセット量に関しては、報知信号で指定する場合に限定されず、セルＩＤに関連付けることもできる。この場合、ユーザ端末ＵＥにおいては、セルＩＤを認識することによってＣＳＩ−ＲＳの位置に関する一部の情報を特定することができる。このようにＣＳＩ−ＲＳのサブフレームオフセット量及びサブキャリア−シンボルオフセット量をセルＩＤに関連付ける場合には、報知信号で通知される情報量を低減することが可能となる。
【００５５】
以下、本発明に係る参照信号送信方法が適用される基地局装置（ｅＮｏｄｅＢ）１０と、この基地局装置１０と通信する移動局装置（ＵＥ）２０の構成について図８及び図９を参照して説明する。図８は、本発明に係る参照信号送信方法が適用される基地局装置１０の構成を示すブロック図である。図９は、本発明に係る参照信号送信方法により送信されるＣＳＩ−ＲＳを受信する移動局装置２０の構成を示すブロック図である。なお、図８に示す基地局装置１０及び図９に示す移動局装置２０の構成は、本発明を説明するために簡略化したものであり、通常の基地局装置及び移動局装置が備える構成は備えるものとする。
【００５６】
図８に示すように、基地局装置１０は、隣接セルに設置された他の基地局装置との間でＣＳＩ−ＲＳパラメータを送受信するＣＳＩ−ＲＳパラメータ送受信部１１と、ＣＳＩ−ＲＳパラメータ送受信部１１で受信した隣接セルのＣＳＩ−ＲＳパラメータを含む報知信号を生成する報知信号生成部１２と、報知信号生成部１２で生成された報知信号やデータチャネル信号のチャネル符号化や、ＯＦＤＭシンボル及びサブフレームへのマッピング、並びに、ＯＦＤＭ信号の生成を行うベースバンド信号処理部１３とを含んで構成されている。
【００５７】
ＣＳＩ−ＲＳパラメータ送受信部１１は、取得手段を構成するものであり、隣接セルに設置された他の基地局装置から、セルＩＤに関連付けられていないＣＳＩ−ＲＳパラメータを取得し、このＣＳＩ−ＲＳパラメータを報知信号生成部１２に出力する。また、ＣＳＩ−ＲＳパラメータ送受信部１１は、自装置が設置されたセル（サービングセル）におけるセルＩＤに関連付けられていないＣＳＩ−ＲＳパラメータと、その他のシステムパラメータを報知信号生成部１２に出力する。なお、その他のシステムパラメータには、例えば、上りリンクの帯域幅が含まれる。例えば、ＣＳＩ−ＲＳパラメータ送受信部１１においては、隣接セルのＣＳＩ−ＲＳパラメータとして、隣接セルＩＤ、隣接セルにおけるＣＳＩ−ＲＳの位置（サブフレームオフセット量、サブキャリア−シンボルオフセット量、周期）及び送信電力を受信する。
【００５８】
報知信号生成部１２は、生成手段を構成するものであり、隣接セルのＣＳＩ−ＲＳパラメータ、サービングセルのＣＳＩ−ＲＳパラメータ及びその他のシステムパラメータに基づいて、報知信号を生成する。例えば、報知信号生成部１２においては、隣接セルにおけるＣＳＩ−ＲＳの位置（サブフレームオフセット量、サブキャリア−シンボルオフセット量、周期）及び送信電力を含む報知信号を生成する（第１の態様に係る参照信号送信方法）。また、上述したＣＳＩ−ＲＳパラメータに加え、ミューティングのオン／オフ又は周期を含む報知信号を生成する（第２の態様に係る参照信号送信方法）。さらに、上述したＣＳＩ−ＲＳパラメータに加え、ミューティングによりヌルとされるリソースエレメントの送信電力だけ増幅したＣＳＩ−ＲＳに対するパワーオフセット量を含む報知信号を生成する（第３の態様に係る参照信号送信方法）。なお、ミューティングのオン／オフ等又はパワーオフセットを含む報知信号は、例えば、上位レイヤからの指示に応じて生成される。
【００５９】
報知信号生成部１２により生成された報知信号は、ベースバンド信号処理部１３に入力される。また、ベースバンド信号処理部１３には、不図示の参照信号生成部により生成されるＣＳＩ−ＲＳや、上位局装置から指示されるデータチャネル信号（データ信号）、制御チャネル信号（制御信号）及びパイロット信号が入力される。
【００６０】
ベースバンド信号処理部１３において、報知信号を含む各種信号は、チャネル符号化部１３１によりチャネル符号化され、マッピング部１３２によりＯＦＤＭシンボル、サブフレームにマッピングされた後、ＯＦＤＭ信号生成部１３３によりＯＦＤＭ信号に変調される。上述したミューティングは、マッピング部１３２により該当するリソースエレメントをヌルとすることで実現される。また、上述したパワーオフセットは、該当するリソースエレメントの送信電力を制御することで実現される。
【００６１】
ベースバンド信号処理部１３により生成されたベースバンド信号は、図示しない送受信部において無線周波数帯に変換する周波数変換処理が施された後、送信アンテナＴＸを介して下りリンクで移動局装置２０に送信される。なお、これらのベースバンド信号処理部１３、送受信部及び送信アンテナＴＸにより送信手段が構成される。
【００６２】
このように本実施の形態に係る基地局装置１０においては、隣接セルのＣＳＩ−ＲＳパラメータとして隣接セルＩＤ、隣接セルにおけるＣＳＩ−ＲＳの位置（サブフレームオフセット量、サブキャリア−シンボルオフセット量、周期）及び送信電力を取得し、これらのＣＳＩ−ＲＳパラメータを含む報知信号を生成して移動局装置２０に送信するようにしていることから、移動局装置２０にて隣接セルの報知信号の受信処理を行わせることなく、当該隣接セルのＣＳＩ−ＲＳを特定することができるので、サービングセルからの信号受信の中断などの複雑な処理を必要とすることなく、移動局装置２０に隣接セルのＣＱＩ測定を行わせることが可能となる。
【００６３】
また、本実施の形態に係る基地局装置１０においては、ミューティングのオン／オフ又は周期を含む報知信号を生成し、この報知信号を移動局装置２０に送信するようにしたことから、移動局装置２０にミューティングの有無を認識させることができ、ミューティングが行われたリソースエレメントの干渉成分を考慮してチャネル品質を推定させることが可能となる。
【００６４】
さらに、本実施の形態に係る基地局装置１０においては、隣接セルのＣＳＩ−ＲＳが同一のＯＦＤＭシンボルに多重される場合に、ミューティングによりヌルとされるリソースエレメントの電力をＣＳＩ−ＲＳに再配分して増幅すると共に、ミューティングによりヌルとされるリソースエレメントの送信電力だけ増幅したＣＳＩ−ＲＳに対するパワーオフセット量を報知信号で移動局装置２０に通知するようにしたことから、移動局装置２０において送信電力が増幅されたＣＳＩ−ＲＳを用いてＣＱＩ測定を行わせることが可能となる。
【００６５】
一方、移動局装置２０は、図９に示すように、受信アンテナＲＸを介して受信したＯＦＤＭ信号の復調処理、デマッピング、並びに、復号処理を行うＯＦＤＭ信号処理部２１と、ＯＦＤＭ信号処理部２１で受信したサービングセル及び隣接セルのＣＳＩ−ＲＳパラメータに基づいてチャネル品質（ＣＱＩ）を測定するＣＱＩ測定部２２とを含んで構成されている。
【００６６】
ＯＦＤＭ信号処理部２１において、受信アンテナＲＸを介して受信したＯＦＤＭ信号は、ＯＦＤＭ信号復調部２１１で復調され、デマッピング部２１２でデマッピングされた後、復号部２１３で復号される。そして、復号部２１３で復号された受信データのうち、サービングセル及び隣接セルのＣＳＩ−ＲＳパラメータは、ＣＱＩ測定部２２に出力され、その他のシステムパラメータや個別データチャネル信号（個別データ）は、上位レイヤに出力される。なお、これらの受信アンテナＲＸやＯＦＤＭ信号処理部２１により受信手段が構成される。
【００６７】
ＣＱＩ測定部２２は、測定手段を構成するものであり、サービングセル及び隣接セルのＣＳＩ−ＲＳパラメータに基づいて、サービングセル及び隣接セルのＣＳＩ−ＲＳを特定し、ＣＱＩ測定を行う。この場合、ＣＱＩ測定部２２においては、サービングセルからの報知信号で指定されたセルＩＤからＣＳＩ−ＲＳの系列を特定できると共に、この報知信号で指定された隣接セルのＣＳＩ−ＲＳの位置（サブフレームオフセット量、サブキャリア−シンボルオフセット量、周期）及び送信電力を特定することができるので、これらからＣＳＩ−ＲＳを特定する（第１の態様に係る参照信号送信方法）。また、ＣＱＩ測定を行う際、ＣＳＩ−ＲＳパラメータに含まれるミューティングのオン／オフ又は周期によりミューティングが行われていることが通知された場合には、上述した（式１）、（式２）によりＣＱＩｃｅｌｌ１、ＣＱＩｃｅｌｌ２を算出する（第２の態様に係る参照信号送信方法）。これに加え、ＣＳＩ−ＲＳパラメータにパワーオフセット量が含まれる場合には、このパワーオフセット量により増幅された送信電力のＣＳＩ−ＲＳに基づいてＣＱＩ測定を行う。
【００６８】
このように本実施の形態に係る移動局装置２０においては、サービングセルに設置された基地局装置１０から隣接セルのＣＳＩ−ＲＳパラメータを含む報知信号を受信するようにしたことから、この報知信号で指定されたセルＩＤからＣＳＩ−ＲＳの系列を特定できると共に、この報知信号で指定された隣接セルのＣＳＩ−ＲＳの位置（サブフレームオフセット量、サブキャリア−シンボルオフセット量、周期）及び送信電力を特定することができ、隣接セルからの報知信号を受信することなくＣＳＩ−ＲＳを特定することができるので、サービングセルからの信号受信を中断するなどの複雑な処理を必要とすることなく隣接セルのＣＱＩを測定することが可能となる。
【００６９】
また、本実施の形態に係る移動局装置２０においては、ミューティングのオン／オフ又は周期を含む報知信号を受信した場合には、ミューティングによりヌルとされるリソースエレメントの干渉成分を推定してサービングセル及び隣接セルのＣＱＩを測定するようにしたことから、ミューティングにより隣接セルの干渉成分が排除されてしまう事態を回避できるので、実際のチャネル品質に対応したＣＱＩを推定することが可能となる。
【００７０】
さらに、本実施の形態に係る移動局装置２０においては、ミューティングによりヌルとされるリソースエレメントの送信電力だけ増幅したＣＳＩ−ＲＳに対するパワーオフセット量を含む報知信号を受信した場合、そのパワーオフセット量を反映した送信電力のＣＳＩ−ＲＳに基づいてサービングセル及び隣接セルのＣＱＩを測定するようにしたことから、送信電力が増幅されたＣＳＩ−ＲＳを用いてＣＱＩ測定を行うことができるので、ＣＱＩの推定精度を改善することが可能となる。
【００７１】
以上、説明したように、本実施の形態に係る参照信号送信方法においては、サービングセルに設置された基地局装置１０にて隣接セルのＣＳＩ−ＲＳパラメータを含む報知信号を生成し、移動局装置２０に送信するようにしていることから、この報知信号で指定されたセルＩＤからＣＳＩ−ＲＳの系列を特定できると共に、この報知信号で指定された隣接セルのＣＳＩ−ＲＳの位置（サブフレームオフセット量、サブキャリア−シンボルオフセット量、周期）及び送信電力を特定することができ、隣接セルからの報知信号を受信することなく隣接セルのＣＳＩ−ＲＳを特定することができるので、サービングセルからの信号受信の中断などの複雑な処理を必要とすることなく、移動局装置２０において隣接セルのＣＱＩ測定を行うことが可能となる。
【００７２】
以上の説明においては、サービングセルに設置された基地局装置１０にて隣接セルのＣＳＩ−ＲＳパラメータを含む報知信号を生成し、移動局装置２０に送信する場合について説明している。しかしながら、ＣＳＩ−ＲＳパラメータを含む信号については、報知信号に限定されるものではない。例えば、サービングセルに設置された基地局装置１０にて隣接セルのＣＳＩ−ＲＳパラメータを含む制御信号を生成し、移動局装置２０に送信するようにしてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００７４】
本出願は、２０１０年４月５日出願の特願２０１０−０８７３８２に基づく。この内容は、全てここに含めておく。
【図１】
2011126025.tif 000007
【図２】
2011126025.tif 000008
【図３】
2011126025.tif 000009
【図４】
2011126025.tif 000010
【図５】
2011126025.tif 000011
【図６】
2011126025.tif 000012
【図７】
2011126025.tif 000013
【図８】
2011126025.tif 000014
【図９】
2011126025.tif 000015
【国際調査報告】
2011126025.tif 000016
2011126025.tif 000017